(57)【要約】【課題】  簡単な構成でありながら、放熱性ないし冷却性に優れた釣用リールを提供する。【解決手段】  リール１０は、本体１３を備えたロータ１２，スプール軸２４，スプール３０，ドラグノブ８０により構成される。スプール３０の糸巻き部３２の内側には、軸方向に通気孔５０が設けられ、スカート部６０の側面には吸気口６２が設けられる。また、スカート部６０の内側には、隙間７８を形成するように内側スカート７０が設けられる。該内側スカート７０と本体１３によって形成される空間７７は、シーリング２９により下方からの空気の出入りが抑制される。スプール３０の回転時は、前記吸気口６２から隙間７８に取り込んだ空気を通気孔５０を介してスプール３０の上方に放出して放熱する。一方、スプール３０の昇降時には、前記空間７７の体積の増減を利用して、スプール３０の上方から空気を出し入れして放熱する。【選択図】図１
2006042771.tif 000002
【特許請求の範囲】
【請求項１】
略円柱状の本体を有しており、ハンドル手段の操作により、前記本体の長手方向を軸として回転可能な回転体，
前記ハンドル手段の操作により、前記回転体の本体の略中央部を軸方向に昇降する昇降軸，
外周面に釣糸が巻回される糸巻き部と、該糸巻き部の一端側に設けられており、該糸巻き部よりも外径が大きい略円筒状のスカート部と、前記糸巻き部の他端側に設けられたフランジ部とを有するとともに、前記昇降軸に取り付けられ、前記本体に対して昇降可能な糸巻き手段，
前記スカート部と略同一形状であって、該スカート部の内面との間に前記糸巻き部の内側へ通じる隙間を形成するように設けられており、下端側が前記スカート部の下端側と接合される内側スカート，
前記糸巻き手段のフランジ部側に設けられており、前記釣糸に所定の引張力が与えられたときに、固定された前記本体に対して前記糸巻き手段が回転するように、前記釣糸の繰り出しを制御するドラグ機構，
前記糸巻き部の内側に軸方向に形成されており、一端が前記フランジ部側で外部と通じ、他端が前記スカート部と内側スカート間の隙間に通じる少なくとも一つ以上の通気孔，
前記スカート部の側面に設けられており、前記糸巻き手段の回転により前記隙間内へ外気を取り込む少なくとも一つ以上の吸気口，
を備えたことを特徴とする釣用リール。
【請求項２】
略円筒状の本体を有しており、ハンドル手段の操作により、前記本体の長手方向を軸として回転可能な回転体，
前記ハンドル手段の操作により、前記回転体の本体の略中央部を軸方向に昇降する昇降軸，
外周面に釣糸が巻回される糸巻き部と、該糸巻き部の一端側に設けられており、該糸巻き部よりも外径が大きい略円筒状のスカート部と、前記糸巻き部の他端側に設けられたフランジ部とを有するとともに、前記昇降軸に取り付けられ、前記本体に対して昇降可能な糸巻き手段，
前記糸巻き手段のフランジ部側に設けられており、前記釣糸に所定の引張力が与えられたときに、固定された前記本体に対して前記糸巻き手段が回転するように、前記釣糸の繰り出しを制御するドラグ機構，
前記糸巻き部の内側に軸方向に形成されており、一端が前記フランジ部側で外部と通じ、他端が前記スカート部の内側の空間に通じる少なくとも一つ以上の通気孔，
前記本体の外周面の上端側に設けられており、前記スカート部の内面とほぼ接することによって、前記スカート部と本体間の空気の下端側からの漏れを抑制する気密手段，
を備えたことを特徴とする釣用リール。
【請求項３】
略円筒状の本体を有しており、ハンドル手段の操作により、前記本体の長手方向を軸として回転可能な回転体，
前記ハンドル手段の操作により、前記回転体の本体の略中央部を軸方向に昇降する昇降軸，
外周面に釣糸が巻回される糸巻き部と、該糸巻き部の一端側に設けられており、該糸巻き部よりも外径が大きい略円筒状のスカート部と、前記糸巻き部の他端側に設けられたフランジ部とを有するとともに、前記昇降軸に取り付けられ、前記本体に対して昇降可能な糸巻き手段，
前記スカート部と略同一形状であって、該スカート部の内面との間に前記糸巻き部の内側へ通じる隙間を形成するように設けられており、下端側が前記スカート部の下端側と接合されるとともに、上面に少なくとも一つ以上の第１の通気孔が形成された内側スカート，
前記糸巻き手段のフランジ部側に設けられており、前記釣糸に所定の引張力が与えられたときに、固定された前記本体に対して前記糸巻き手段が回転するように、前記釣糸の繰り出しを制御するドラグ機構，
前記糸巻き部の内側に軸方向に形成されており、一端が前記フランジ部側で外部と通じ、他端が前記スカート部と内側スカート間の隙間に通じる少なくとも一つ以上の第２の通気孔，
前記本体の外周面の上端側に設けられており、前記内側スカートの内面とほぼ接することによって、前記内側スカートと本体間の空気の下端側からの漏れを抑制する気密手段，
前記スカート部の側面に設けられており、前記糸巻き手段の回転により前記隙間内へ外気を取り込む少なくとも一つ以上の吸気口，
を備えたことを特徴とする釣用リール。
【請求項４】
略円筒状の本体を有しており、ハンドル手段の操作により、前記本体の長手方向を軸として回転可能な回転体，
前記ハンドル手段の操作により、前記回転体の本体の略中央部を軸方向に昇降する昇降軸，
外周面に釣糸が巻回される糸巻き部と、該糸巻き部の一端側に設けられており、該糸巻き部よりも外径が大きい略円筒状のスカート部と、前記糸巻き部の他端側に設けられたフランジ部とを有するとともに、前記昇降軸に取り付けられ、前記本体に対して昇降可能な糸巻き手段，
前記糸巻き手段のフランジ部側に設けられており、前記釣糸に所定の引張力が与えられたときに、固定された前記本体に対して前記糸巻き手段が回転するように、前記釣糸の繰り出しを制御するドラグ機構，
前記本体の外周面の上端側に設けられており、前記スカート部の内面とほぼ接することによって、前記スカート部と本体間の空気の下端側からの漏れを抑制する気密手段，
を備えるとともに、
前記糸巻き手段が、前記スカート部，本体，気密手段によって形成される空間と外部とをつなぐための通気孔を、少なくとも一つ以上有することを特徴とする釣用リール。
【請求項５】
前記内側スカートの外周面に、前記スカート部の吸気口から前記隙間に取り入れた空気を上方に案内するための案内手段を設けたことを特徴とする請求項１又は３のいずれかに記載の釣用リール。
【請求項６】
前記糸巻き部の内側であって、前記昇降軸が貫通する軸受け部の外側に、放熱用のフィンを少なくとも一つ以上設けたことを特徴とする請求項１〜５のいずれかに記載の釣用リール。
【発明の詳細な説明】
【技術分野】
【０００１】  本発明は、ドラグ機構を備えた釣用リールに関し、更に具体的には、リールの放熱性ないし冷却性の改善に関するものである。
【背景技術】
【０００２】  従来、魚釣用に用いられるスピニングリールは、ベールを起こした状態で釣糸を放出した後、前記ベールを閉じてハンドルを回すことによりロータが回転し、該ロータに装着されたスプールの外周面に放出した釣糸が巻き取られる。このとき、スプール自体は回転せず、スプールの周りを回転するラインローラに案内されて釣糸が巻き取られる。また、このような釣糸の巻き取り可能状態のときに大物がかかっても釣糸が切れないように、所定の引張力以上の力が釣糸に加えられたときに前記スプールが自動的に滑って釣糸を送り出すドラグ機能も備えている。従って、所定の引張力以上の力が加わってドラグ機能により釣糸が繰り出される際には、固定されたロータに対してスプールが滑り（回転し）、ハンドルを回して釣糸を巻き取る際には、ロータのみが回転してスプールに釣糸を巻き取る構成となっている。【０００３】  このような構成の釣用リールでは、いわゆるドラグノブ（ドラグつまみ）の回動操作により、前記スプールの内側に設けられた制動部材（座金など）を圧接して、ドラグ機構の締付け力を調整している。このため、予め設定したドラグ力（引張力）よりも大きな力が作用して長時間にわたって釣糸が繰り出される場合では、ドラグ機構に大きな摩擦熱が発生し、釣糸の強度が低下したり、制動部材に焼き付きを生じたりするなどの問題がある。【０００４】  上述したドラグ機構の発熱に対しては、例えば、以下の特許文献１に示すように、糸巻胴部の前端にフランジ部を、後端に糸巻胴部より大径の円筒部を一体に設けてなる魚釣り用リールのスプールにおいて、前記フランジ部の前面または円筒部の外周面の少なくともいずれか一方に凹溝と条壁部を設け、ドラグ機構の摩擦熱による高熱化を防止する技術が記載されている。また、特許文献２には、摩擦板相互の接触によってドラグ力が発生するドラグ機構を備えた釣用リールにおいて、摩擦板相互の摩擦により発生する摩擦熱によって加熱されたドラグ機構を冷却水の気化熱により冷却することによって、接触面相互の変質を抑制することが開示されている。
【特許文献１】特開２００２−２３８４０９公報
【特許文献２】特開２０００−３５０５３９公報
【発明の開示】
【発明が解決しようとする課題】
【０００５】  しかしながら、以上のような背景技術は、次のような不都合がある。まず、前記特許文献１に記載の技術では、スプールの外側に凹溝部と条壁部を多数設けることで表面積を増し、表面からの放熱作用を増大させることとしているが、実際に摩擦熱が発生するのはスプールの内側であるから、外側の表面積を増やしたのみでは、十分な放熱効果が得られない場合がある。また、特許文献２に記載の技術では、冷却水用のタンクをリール内またはリール外に設ける必要があり、構成が複雑になってしまうという不都合がある。一方、リールは釣糸を巻き取る際に、スプール軸に沿ってスプールが昇降する機構となっているため、該昇降運動を利用して放熱を行うことができれば都合がよいが、上述した背景技術では、いずれもこの点については述べられていない。【０００６】  本発明は、以上の点に着目したもので、その目的は、簡単な構成でありながら、放熱性ないし冷却性に優れた釣用リールを提供することである。
【課題を解決するための手段】
【０００７】  前記目的を達成するため、本発明は、略円柱状の本体を有しており、ハンドル手段の操作により、前記本体の長手方向を軸として回転可能な回転体，前記ハンドル手段の操作により、前記回転体の本体の略中央部を軸方向に昇降する昇降軸，外周面に釣糸が巻回される糸巻き部と、該糸巻き部の一端側に設けられており、該糸巻き部よりも外径が大きい略円筒状のスカート部と、前記糸巻き部の他端側に設けられたフランジ部とを有するとともに、前記昇降軸に取り付けられ、前記本体に対して昇降可能な糸巻き手段，前記スカート部と略同一形状であって、該スカート部の内面との間に前記糸巻き部の内側へ通じる隙間を形成するように設けられており、下端側が前記スカート部の下端側と接合される内側スカート，前記糸巻き手段のフランジ部側に設けられており、前記釣糸に所定の引張力が与えられたときに、固定された前記本体に対して前記糸巻き手段が回転するように、前記釣糸の繰り出しを制御するドラグ機構，前記糸巻き部の内側に軸方向に形成されており、一端が前記フランジ部側で外部と通じ、他端が前記スカート部と内側スカート間の隙間に通じる少なくとも一つ以上の通気孔，前記スカート部の側面に設けられており、前記糸巻き手段の回転により前記隙間内へ外気を取り込む少なくとも一つ以上の吸気口，を備えたことを特徴とする。【０００８】  他の発明は、略円筒状の本体を有しており、ハンドル手段の操作により、前記本体の長手方向を軸として回転可能な回転体，前記ハンドル手段の操作により、前記回転体の本体の略中央部を軸方向に昇降する昇降軸，外周面に釣糸が巻回される糸巻き部と、該糸巻き部の一端側に設けられており、該糸巻き部よりも外径が大きい略円筒状のスカート部と、前記糸巻き部の他端側に設けられたフランジ部とを有するとともに、前記昇降軸に取り付けられ、前記本体に対して昇降可能な糸巻き手段，前記糸巻き手段のフランジ部側に設けられており、前記釣糸に所定の引張力が与えられたときに、固定された前記本体に対して前記糸巻き手段が回転するように、前記釣糸の繰り出しを制御するドラグ機構，前記糸巻き部の内側に軸方向に形成されており、一端が前記フランジ部側で外部と通じ、他端が前記スカート部の内側の空間に通じる少なくとも一つ以上の通気孔，前記本体の外周面の上端側に設けられており、前記スカート部の内面とほぼ接することによって、前記スカート部と本体間の空気の下端側からの漏れを抑制する気密手段，を備えたことを特徴とする。【０００９】  更に他の発明は、略円筒状の本体を有しており、ハンドル手段の操作により、前記本体の長手方向を軸として回転可能な回転体，前記ハンドル手段の操作により、前記回転体の本体の略中央部を軸方向に昇降する昇降軸，外周面に釣糸が巻回される糸巻き部と、該糸巻き部の一端側に設けられており、該糸巻き部よりも外径が大きい略円筒状のスカート部と、前記糸巻き部の他端側に設けられたフランジ部とを有するとともに、前記昇降軸に取り付けられ、前記本体に対して昇降可能な糸巻き手段，前記スカート部と略同一形状であって、該スカート部の内面との間に前記糸巻き部の内側へ通じる隙間を形成するように設けられており、下端側が前記スカート部の下端側と接合されるとともに、上面に少なくとも一つ以上の第１の通気孔が形成された内側スカート，前記糸巻き手段のフランジ部側に設けられており、前記釣糸に所定の引張力が与えられたときに、固定された前記本体に対して前記糸巻き手段が回転するように、前記釣糸の繰り出しを制御するドラグ機構，前記糸巻き部の内側に軸方向に形成されており、一端が前記フランジ部側で外部と通じ、他端が前記スカート部と内側スカート間の隙間に通じる少なくとも一つ以上の第２の通気孔，前記本体の外周面の上端側に設けられており、前記内側スカートの内面とほぼ接することによって、前記内側スカートと本体間の空気の下端側からの漏れを抑制する気密手段，前記スカート部の側面に設けられており、前記糸巻き手段の回転により前記隙間内へ外気を取り込む少なくとも一つ以上の吸気口，を備えたことを特徴とする。【００１０】  更に他の発明は、略円筒状の本体を有しており、ハンドル手段の操作により、前記本体の長手方向を軸として回転可能な回転体，前記ハンドル手段の操作により、前記回転体の本体の略中央部を軸方向に昇降する昇降軸，外周面に釣糸が巻回される糸巻き部と、該糸巻き部の一端側に設けられており、該糸巻き部よりも外径が大きい略円筒状のスカート部と、前記糸巻き部の他端側に設けられたフランジ部とを有するとともに、前記昇降軸に取り付けられ、前記本体に対して昇降可能な糸巻き手段，前記糸巻き手段のフランジ部側に設けられており、前記釣糸に所定の引張力が与えられたときに、固定された前記本体に対して前記糸巻き手段が回転するように、前記釣糸の繰り出しを制御するドラグ機構，前記本体の外周面の上端側に設けられており、前記スカート部の内面とほぼ接することによって、前記スカート部と本体間の空気の下端側からの漏れを抑制する気密手段，を備えるとともに、前記糸巻き手段が、前記スカート部，本体，気密手段によって形成される空間と外部とをつなぐための通気孔を、少なくとも一つ以上有することを特徴とする。【００１１】  主要な形態の一つは、前記内側スカートの外周面に、前記スカート部の吸気口から前記隙間に取り入れた空気を上方に案内するための案内手段を設けたことを特徴とする。他の形態は、前記糸巻き部の内側であって、前記昇降軸が貫通する軸受け部の外側に、放熱用のフィンを少なくとも一つ以上設けたことを特徴とする。本発明の前記及び他の目的，特徴，利点は、以下の詳細な説明及び添付図面から明瞭になろう。
【発明の効果】
【００１２】  本発明は、釣糸を繰り出すドラグ機能を備えたリールにおいて、（１）回転体（ロータ）に装着される糸巻き手段（スプール）のスカート部を２重構造とし、該スカート部の側面から２重構造の隙間に空気を取り入れ、糸巻き手段の上端から外部に放出する，（２）回転体の本体とスカート部の間に形成される空間の体積が、糸巻き手段の昇降によって増減することを利用し、前記糸巻き手段の上端または他のいずれかの位置から空気の出し入れを行う，あるいは、（３）スカート部の側面からの空気の取り入れと、糸巻き手段の昇降を利用した空気の出し入れを組み合わせることとした。このため、釣糸の繰り出しによって生じる熱を、繰り出し時，繰り出し後，または、繰り出し時及び繰り出し後に効率よく放熱し、釣糸や部品の劣化を防止して耐久性の向上を図ることができる。
【発明を実施するための最良の形態】
【００１３】  以下、本発明を実施するための最良の形態を、実施例に基づいて詳細に説明する。
【実施例１】
【００１４】  最初に、図１及び図２を参照しながら、本発明の実施例１を説明する。図１（Ａ）は、本実施例の外観を示す斜視図，図１（Ｂ）は前記（Ａ）を＃Ａ−＃Ａ線に沿って切断し矢印方向に見た断面図である。図２（Ａ）は、本実施例の構造を示す分解斜視図であり、図２（Ｂ）は、前記（Ａ）のスプールの内側中心部を矢印ＦＢ方向から見た斜視図である。本考案の魚釣用リール（以下「リール」）１０は、略円筒状の本体１３を備えたロータ１２と、前記本体１３の略中央部を軸方向に昇降可能なスプール軸２４，該スプール軸２４が貫通可能であって、前記ロータ１２に装着されるスプール３０，該スプール３０の内部に設けられたドラグ機構を調節するためのドラグノブ８０により構成されている。また、前記リール１０は、図示しない釣竿に装着するための足２０のほか、前記ロータ１２を回転させるためのハンドル２２を備えている。なお、図示しない回転伝達機構により、前記ハンドル２２の回動操作を伝達し、前記ロータ１２を回転させることが可能となっている。以下、上述した各部について順に説明する。なお、以下の説明中の「上端」「下端」「上方」「下方」などは、理解を容易にするため、図の上下方向に基づいた表現となっているが、実際の使用時の向きとは異なる場合がある。例えば、リール１０の上部と表現されているドラグノブ８０は、実際の使用時には前方となり、リール１０の下方と表現されているロータ１２側は、使用時には後方となるという具合である。【００１５】  まず、前記ロータ１２は、前記略円柱状の本体１３のほか、一対の支持アーム１４，該支持アームの先端に回動部材１５を介して設けられたベール１６，前記回動部材１５のいずれか一方に設けられたラインローラ１８を備えている。前記ベール１６は、釣糸の放出可能状態と巻取可能状態を切り替るものであって、通常は、前記ベール１６を起こした状態で釣糸を放出し、閉じた（倒した）状態で釣糸を巻き取ることとなっている。また、ラインローラ１８は、前記釣糸の巻き取りをガイドするものであって、前記ベール１６を閉じた状態でハンドル２２を回すと、昇降するスプール３０の周りを回転し、後述する糸巻き部３２全体に均等な厚みとなるように、釣糸を巻き取る構成となっている。また、前記本体１３の外周面の上端側には、スプール３０の内側スカート７０の内面と接するシーリング２９が全周にわたって設けられている。該シーリング２９は、例えば、ゴムやシリコンなどによって形成され、公知の各種の手法により本体１３の外周面に取り付けられる。なお、シーリング２９の機能については後述する。【００１６】  前記本体１３の略中央部には、該本体１３に対して昇降可能なスプール軸２４が設けられている。該スプール軸２４は、前記本体１３を貫通し、その下端側は、前記ハンドル２２の回転を伝達するための図示しない回転伝達機構に接続される。一方、前記本体１３の上方に露出した部分には、後述するスプール３０の内側の支持部４０を受ける受け部２６が設けられている。該受け部２６は、歯車とワッシャを含んでおり（図２（Ａ）参照）、前記スプール３０側に設けられた図示しない爪とともに、ドラグ機構作動時および調節時の音出し用のラチェット機構を構成する。また、前記受け部２６よりも上方の部分は、後述するドラグノブ８０の軸受け部８８の図示しない長穴と係合する断面略長円形の係合部２７となっており、更にその上端部にはネジ部２８が形成されている。このようなスプール軸２４は、前記ハンドル２２の操作により、本体１３に対して昇降のみ可能となっており、ロータ１２が回転しても、該ロータ１２とともに回転することはない。以上のようなドラグ機構，スプール軸２４の昇降機構，ロータ１２の回転機構は公知技術であり、ここでの詳細な説明は省略する。【００１７】  次に、スプール３０について説明する。スプール３０は、外周面に釣糸が巻回される糸巻き部３２と、該糸巻き部３２の一端側に設けられたフランジ部５２と、前記糸巻き部３２の他端側に設けられており、該糸巻き部３２よりも外径が大きい略円筒状のスカート部６０と、該スカート部６０の内側に設けられた内側スカート７０により構成されている。前記糸巻き部３２の内側の略中央部には、上述したドラグ機構を構成するワッシャ群４６を収納する収納部３４と、前記スプール軸２４の上端側を回転可能に貫通させる支持部４０が軸方向に連続して設けられている。前記収納部３４は、上端が開放した略円筒状であって、その内側に前記ワッシャ群４６が収納される。また、該収納部３４の内面の上端近傍には、溝部３６が形成されており、該溝部３６にバネ３８を嵌めることによって、収納したワッシャ群４６の抜け落ちを防止している。これらワッシャ群４６には、スプール軸２４の係合部２７と係合する略長方形の貫通孔４８がそれぞれ形成されている。一方、前記支持部４０の略中心には、前記スプール軸２４の係合部２７を回転可能に貫通させるための断面略円形の貫通孔４２が軸方向に形成されている。また、前記支持部４０の外周面には、図２（Ｂ）に示すように径方向に突出するフィン４４が複数設けられている。更に、前記収納部３４及び支持部４０の外側には、前記糸巻き部３２の軸方向に沿って複数の通気孔５０が所定間隔で形成されている。【００１８】  前記フランジ部５２は、前記糸巻き部３２よりも外径が大きくなっており、該フランジ部５２と前記スカート部６０を糸巻き部３２の軸方向両端に設けることによって、前記糸巻き部３２に釣糸を巻回可能となっている。このようなフランジ部５２の中央には、後述するドラグノブ８０を受けるための段差ないし受け部５４が形成されている。なお、受け部５４は、上述した糸巻き部３２の通気孔５０の上端側が外部と通じることができるように底面の大部分が切欠されている。そして、例えば、図２（Ａ）に示すように、前記底面から中心に向けて設けられた突出部５６を前記通気孔５０間に配置し、該突出部５６をボルトなどによって前記糸巻き部３２の上面に固定することによって、取り付けられる。【００１９】  次に、スカート部６０は、前記糸巻き部３２よりも外径が大きい側面６０Ｂと、該側面６０Ｂと糸巻き部３２の外周面を接続する略リング状の上面６０Ａにより構成されており、前記側面６０Ｂには、適宜間隔で複数の吸気口６２が形成されている。該吸気口６２の周方向両端は、斜面６４となっている。これは、ドラグ機構の作用によってスプール３０が滑る（回転する）時に、外気を内側に取り込みやすくするためであって、前記スプール３０の回転方向に合わせて前記斜面６４の向きが設定されている。【００２０】  前記スカート部６０の内側には、該スカート部６０と略同一形状，かつ、若干寸法が小さい内側スカート７０が、前記スカート部６０の内面と所定の隙間７８を形成するように設けられている。内側スカート７０は、略円筒状の側面７０Ｂと、略リング状の上面７０Ａを有しており、該上面７０Ａの中央部には、前記スプール軸２４に設けられた受け部２６を貫通可能な開口部７２と、その周囲に上方に向けて突出した凸部７４が形成されている。前記凸部７４には、所定の間隔で複数の通気孔７６が形成されており、該通気孔７６によって、内側スカート７０と前記本体１３によって形成される空間７７と、前記通気孔５０（ないし隙間７８）とが通じる構成となっている。また、前記上面７０Ａ及び側面７０Ｂに亘って、複数の凸状ライン７９が設けられており、これら凸状ライン７９間の部分が、図１（Ｂ）に示すように前記スカート部６０の内面と所定の間隔の隙間７８を形成するようになっている。このような隙間７８は、前記スカート部６０の吸気口６２から取り入れた空気を上方へ案内するためのものであって、前記吸気口６２と対応する位置および形状に形成される。本実施例では、前記隙間７８は、螺旋状となっており、前記吸気口６２から取り入れた空気をスムーズに上方に導くことができるようになっている。なお、隙間７８の螺旋の向きは、スプール３０の回転によって空気を送りやすい方向となるように予め設定されている。【００２１】  更に、内側スカート７０の下端側は、前記吸気口６２から取り込んだ空気が、下端側から抜けずに上方へ行くように、前記スカート部６０の下端側と接合されている。なお、このような内側スカート７０の内面は、上述した本体１３の外周面上端に設けられたシーリング２９とほぼ接触するような径に予め設定されている。このため、気密性が向上し、本体１３と内側スカート７０によって形成される空間７７の体積が、スプール３０の昇降によって増減する際に、該空間７７の大部分の空気が、上面７０Ａの通気孔７６から、糸巻き部３２の通気孔５０を介して外部と通じるようになる。【００２２】  次に、ドラグノブ８０について説明する。ドラグノブ８０は、つまみ８４が設けられた回動板８２と、該回動板８２の裏面に設けられた軸受け部８８により構成されている。前記回動板８２は、前記フランジ部５２の受け部５４に嵌めたときに、前記通気孔５０の上端からの空気の出入を妨げることがないように、前記通気孔５０を塞ぐ面積が極力小さくなるような形状・寸法に形成されている。本実施例では、回動板８２は、前記スプール３０の収納部３４の上端の開口よりも若干径が大きい円盤状に形成されている。また、前記つまみ８４の略中心には、前記スプール軸２４の上端のネジ部２８と螺合する雌ネジ部が内側に形成された軸部８６が設けられている。一方、前記軸受け部８８は、下端側が、前記糸巻き部３２の収納部３４の上端の開口内に納まる形状に形成されるとともに、軸方向に沿って、前記スプール軸２４の係合部２７と係合する長穴が形成されている（図示せず）。以上のような回動板８２と軸受け部８８は、互いに回転可能となっているため、前記軸受け部８８にスプール軸２４を係合させた状態でつまみ８４を回すと、該つまみ８４と回動板８２のみが回転するとともに、軸部８６とネジ部２８の螺合により、ドラグノブ８０全体が、スプール軸２４に沿って昇降可能となる。【００２３】  次に、本実施例の作用を説明する。釣りに利用する前に、予め釣糸を巻回したスプール３０を、ロータ１２（スプール軸２４）に装着し、前記スプール３０から突出したスプール軸２４の上端に、ドラグノブ８０を取り付ける。そして、ドラグノブ８０の調整によりワッシャ群４６を圧接し、釣糸の強度などに応じて所定の引張力がかかったときにスプール３０が滑り出すように、公知の手法によってドラグ設定を行う。そして、ベール１６を起こした状態で釣糸を放出する。この状態では、ロータ１２及びスプール３０のいずれも回転せず、釣糸のみが放出される。釣糸を十分放出したら、ベール１６を閉じ（倒し）、魚がかかったときに釣糸を巻き取れる状態で待機する。ここで、例えば、魚がかかり、該魚が釣糸を引っ張る力が、あらかじめ設定したドラグ力よりも大きい場合には、ドラグ機構の作用により、スプール３０が自動的に滑り出し回転する。このとき、スプール３０の回転に伴い、スカート部６０の側面６０Ｂに設けられた吸気口６２から取り込まれた空気（外気）は、内側スカート７０の隙間７８によって上方に案内され、更に糸巻き部３２の通気孔５０を通過して、その上端から外部に放出される。これにより、スプール３０が回転する際に、自動的にドラグ機構の周囲に空気を流し、該空気によってドラグ機構から発生する熱を効率よく放熱することができる。また、スプール３０の内側にフィン４４を設けて放熱面積の増大を図るとともに、該フィン４４が前記スプール３０の回転に伴って回転するため、より一層放熱効果を促進することが可能である。【００２４】  一方、釣糸を巻き取る際には、前記ハンドル２２を回す。ハンドル２２を回すと、スプール３０がロータ１２に対して昇降するとともに、ロータ１２のみが回転する。そのため、支持アーム１４の回動部材１５に取り付けられたラインローラ１８が、昇降するスプール３０の周りを回転し、糸巻き部３２全体に均等な厚みとなるように釣糸が巻き取られる。ところで、このような巻き取りの最中は、常にスプール３０が昇降している状態である。すなわち、本体１３とスプール３０の内側スカート７０によって形成される空間７７の体積が、常に増減を繰り返している状態である。ここで、本体１３に設けられたシーリング２９によって、内側スカート７０の下端側からの空気の抜け出しを抑制しているため、前記空間７７の大部分の空気は、内側スカート７０の上面７０Ａの通気孔７６と、糸巻き部３２の通気孔５０を介して、軸方向に出入を繰り返すことになる。従って、釣糸の巻き取り時にも、スプール３０の内側に空気の流れを作り出し、釣糸の繰り出しによって生じた熱を、効率的に放熱（ないし冷却）を行うことができる。【００２５】  このように、実施例１によれば、ドラグ機能を備えたリール１０において、スプール３０のスカート部６０を２重構造とし、スプール３０が滑る（回転する）時には、前記スカート部６０の側面から内側スカート７０との隙間７８に空気を取り入れ、スプール３０の上端から外部に放出する。また、釣糸を巻き取る際には、前記スプール３０の昇降によってロータ１２の本体１３と内側スカート７０の間に形成される空間７７の体積の増減を利用し、前記スプール３０の上端から空気の出し入れを行うこととした。このため、釣糸の繰り出しによって生じる熱を、効率よく放熱し、釣糸や部品の劣化を防止して耐久性の向上を図ることができる。また、スプール軸２４を支持する支持部４０の外側に複数のフィン４４を設けることとしたので、スプール３０の回転時の放熱を、より一層促進することができる。更に、上述した背景技術では、冷却用のコールドスプレーを利用しても、外側のみが冷却されるのに対して、本実施例では、スカート部６０の外側からコールドスプレーを吹き付けると、吸気口６２を介して内側からも冷却を行うことができるため、より効率良く内部の放熱を行うことができる。【００２６】  なお、本発明は、上述した実施例に限定されるものではなく、本発明の要旨を逸脱しない範囲内において種々変更を加え得ることができる。例えば、以下のものも含まれる。
（１）本発明を構成する材質としては、各種の公知のものが知られており、そのいずれを用いてもよい。例えば、アルミニウムなどの金属や、合金、樹脂などを用いてよい。また、リール１０全体としては軽量の方が都合がよいため、リール１０の一部を樹脂製とするなども可能である。例えば、内側スカート７０のみを樹脂とし、他の部分をアルミニウムなどで形成することにより、強度を保ちながら軽量化を図るようにしてもよい。
（２）前記実施例で示した各部の形状や大きさは一例であり、同様の作用を奏するように適宜変更可能である。
（３）前記実施例で示した通気孔５０，７６，吸気口６２の数は一例であり、必要に応じて適宜増減してよい。
（４）前記実施例では、スプール３０の回転時（釣糸の繰り出し時）と、ロータ１２の回転時（釣糸の巻き取り時）の双方で、スプール３０の内部に空気の流れを作り出して放熱を行う構成としたが、必要に応じていずれか一方の時のみ放熱できる構成としてもよい。
（５）スプール３０の内側に設けたフィン４４も、必要に応じて設けるようにすればよく、その数や形状も必要に応じて適宜変更してよい。例えば、上述した実施例では、図２（Ｂ）に示すように、フィン４４の縁が通気孔７６の内側に位置するように形成することとしたが、これも一例であり、通気孔７６の外側に縁が位置するように大きめに形成するようにしてもよい。
（６）前記実施例では、スカート部６０を２重構造とすることとしたが、スプール３０の昇降時にのみ放熱を行う場合には、スカート部６０を一重構造とし、該スカート部６０と本体１３間に形成される空間の伸縮を利用するようにしてもよい。また、その場合、上述した実施例１の通気孔５０を介して、前記空間と外部との接続を行うようにしてもよいし、スプール３０のいずれか任意の位置に設けた通気孔によって行うようにしてもよい。
【産業上の利用可能性】
【００２７】  本発明によれば、（１）回転体（ロータ）に装着される糸巻き手段（スプール）のスカート部を２重構造とし、該スカート部の側面から２重構造の隙間に空気を取り入れ、糸巻き手段の上端から放出する，（２）スカート部と回転体の本体の間に形成される空間の体積が前記糸巻き手段の昇降によって増減することを利用し、前記糸巻き手段の上端または他のいずれかの位置から空気の出し入れを行う，あるいは、前記（１）及び（２）を組み合わせることとした。このため、釣糸の繰り出しによって生じる熱を効率よく発散できるため、釣糸を繰り出すドラグ機能を備えた釣用リールの用途に適用できる。
【図面の簡単な説明】
【００２８】
【図１】  本発明の実施例１を示す図であり、（Ａ）は外観を示す斜視図，（Ｂ）は前記（Ａ）を＃Ａ−＃Ａ線に沿って切断した断面図である。
【図２】  前記実施例１を示す図であり、（Ａ）は本実施例の構造を示す分解斜視図，（Ｂ）は前記（Ａ）のスプールの内側中心部を矢印ＦＢ方向から見た斜視図である。
【符号の説明】
【００２９】１０：リール
１２：ロータ
１３：本体
１４：支持アーム
１５：回動部材
１６：ベール
１８：ラインローラ
２０：足
２２：ハンドル
２４：スプール軸
２６：受け部
２７：係合部
２８：ネジ部
２９：シーリング
３０：スプール
３２：糸巻き部
３４：収納部
３６：溝部
３８：バネ
４０：支持部
４２：貫通孔
４４：フィン
４６：ワッシャ群
４８：貫通孔
５０：通気孔
５２：フランジ部
５４：受け部（段差）
５６：突出部
６０：スカート部
６０Ａ：上面
６０Ｂ：側面
６２：吸気口
６４：斜面
７０：内側スカート
７０Ａ：上面
７０Ｂ：側面
７２：開口部
７４：凸部
７６：通気孔
７７：空間
７８：隙間
７９：凸状ライン
８０：ドラグノブ
８２：回動板
８４：つまみ
８６：軸部
８８：軸受け部
【図１】
2006042771.tif 000003
【図２】
2006042771.tif 000004